(57)【要約】  本発明は、片側に肌に優しい粘着剤（２）を被覆したプラスチックフィルム（１）、粘着剤被覆に剥離可能に固定した保護層（３）、および粘着剤被覆と反対側のプラスチックフィルムに剥離可能に固定した硬化層を備える細長い帯状フィルム包帯に関する。本発明による包帯はじゃばら状に折り畳まれスタックになり、包帯が互いに積み重ねられた複数の部分（６−１５）に分けることができ、かつ互いに隣接した包帯の３つの部分が互いにスタックの両側で連結されている。
2010517669.tif 000002
【特許請求の範囲】
【請求項１】
片側を肌に優しい粘着剤（２）で被覆したプラスチックフィルム（１；１’）、前記粘着剤被覆に剥離可能に固定された保護層（３；３’）、および前記粘着剤被覆と反対側の前記プラスチックフィルムに剥離可能に固定された硬化層（４；４’）を備える細長い帯状フィルム包帯であって、
前記包帯は、スタックの形態にじゃばら状に折り畳まれ、互いに積み重ねられた複数の部分（６−１５、６’−１５’）に分けられ、かつ前記包帯の互いに隣接するこれら３つの部分が互いに前記スタックの両側で連結されていることを特徴とする細長い帯状フィルム包帯。
【請求項２】
一連の別々の開口部（５；５’）が前記硬化層に形成された、請求項１に記載の細長い帯状フィルム包帯。
【請求項３】
前記硬化層の隣接する開口部（５）間の距離が前記包帯の全長にわたって等しい大きさである、請求項２に記載の細長い帯状フィルム包帯。
【請求項４】
前記硬化層の前記開口部（５）それぞれが前記包帯のじゃばら状の折り畳みに形成される隣接した折り目の間に延在する、請求項３に記載の細長い帯状フィルム包帯。
【請求項５】
前記硬化層が、じゃばら状の折り畳みにより生じた前記スタックの各部分（６’−１５’）に２以上の開口部（５’）を有する、請求項２に記載の細長い帯状フィルム包帯。
【請求項６】
前記包帯の連続する折り畳まれた部分（６’−１５’）に配置された隣接する開口部（５’）間の距離がこれら折り畳まれた部分のひとつに配置された隣接する開口部より大きい、請求項５に記載の細長い帯状フィルム包帯。
【請求項７】
前記硬化層が、前記硬化層の縦の端辺から前記硬化層の前記開口部の端辺まで延在する複数の切れ目を備える、請求項１から６のいずれか一項に記載の細長い帯状フィルム包帯。
【請求項８】
前記硬化層が、前記包帯の長さに沿って複数の場所において、下の前記プラスチックフィルムを越えて横に延在し、それによって、前記硬化層の除去を容易化するための一連の掴み代が形成される、請求項７に記載の細長い帯状フィルム包帯。
【発明の詳細な説明】
【技術分野】
【０００１】
本発明は、片側に肌に優しい粘着剤を被覆したプラスチックフィルム、粘着剤被覆に剥離可能に固定した保護層、およびプラスチックフィルムの粘着剤被覆とは反対側に剥離可能に固定した硬化層を備える細長い帯状フィルム包帯に関連する。
【背景技術】
【０００２】
細長い帯状フィルム包帯は、従来ロールに共に巻かれた状態で供給される。このような包帯は分けて使用され、ユーザー自身が、毎回必要な包帯の大きさを判断し、このような判断に基づき包帯の適切な長さを切り取る。このような従来の細長い帯状フィルム包帯の取り扱いが通常良好に機能しているとしても、この種のフィルム包帯には、使用に関していくらかの欠点がある。たとえば、多くの場合、切り取るべき所望の長さを得るために、ロールをほどく量を判断することが難しい。ほどいたロールの部分を巻き戻すのは時間がかかり、かつ困難な場合があるため、ロールをほどきすぎたことにより、ほどかれた部分はロールから切り取られ、今度はこの切り取った部分から適切な長さを得るために切り取る結果となる場合が多い。はじめに切り取った部分から切り取った不要な長さの部分は、廃棄される。したがって従来の細長い帯状フィルム包帯のロール形状は、不必要な材料の浪費を生む原因となる。さらに、ロール形状のフィルム包帯は、ユーザーが包帯の一端を引っ張った場合に、ロールが自動的に巻き上がるという危険を解消させるような方法で包装されなければならず、これは包帯の包装を複雑にし、ほどかれた部分を巻き戻すことにより時間を浪費する原因となる。不必要な材料の浪費のさらなる原因は、従来の細長い帯状フィルム包帯の終わりにある。つまり、ロールの大部分がほどかれているとき、従来の細長い帯状フィルム包帯の残りの長さの自由端が持ち上がっていることにより、残りのフィルム包帯の長さ全体が包装から持ち上がって出てしまう結果となり、これは、残りのフィルム包帯の長さが必要とされている包帯の長さに合う場合でなければ材料の浪費をもたらす。さらに、従来の細長い帯状フィルム包帯の丸まった中央部分は、この部分が、湾曲し丸まった状態を保とうとするということにより、使用が困難、または使用不可能である場合が多いということが指摘される。もちろんこれは、環状の芯の周りに巻くことにより対処でき、その結果ロールの中央部分の曲率半径は相対的に大きくなるが、このような方法により材料費が加算され包帯はさらにかさばるものとなる。従来の細長い帯状フィルム包帯が丸まった形に戻ろうとする傾向により、切り取る際に包帯のほどかれた部分がぴんと張られていなければならないので、ほどかれた部分、少なくとも包帯の終端部を切り取ることがさらに難しくなる場合があるということが指摘される。
【発明の概要】
【発明が解決しようとする課題】
【０００３】
本発明の目的は、上記に述べた欠点のない、細長い帯状フィルム包帯を提供することであり、この細長い帯状フィルム包帯は不必要な材料の浪費を生じることなく複数の部分に分けることが簡単であり、複雑な包装を必要とせず、かつ包装状態において最小の空間を占める。
【課題を解決するための手段】
【０００４】
本目的は、片側に肌に優しい粘着剤を被覆したプラスチックフィルム、粘着剤被覆に剥離可能に固定した保護層、およびプラスチックフィルムの粘着剤被覆と反対側に剥離可能に固定した硬化層を備える細長い帯状フィルム包帯により達成され、この細長い帯状フィルム包帯は、包帯がスタック状にじゃばら状に折り畳まれ、包帯が順番に重ねられた複数の部分に分かれ、互いに隣接したこれらの３つの包帯部分が、スタックの両側で互いに連結されていることを特徴とする。じゃばらにした結果、Ｖ字の折り目が硬化層に作られ、これは、ユーザーは伸ばした部分を簡単に折り畳まれたスタックに戻すことができるということを意味している。したがって、切り取るべき所望の長さの包帯だけをほどくということは重要ではなく、ひっぱり出し、切り、そして再びじゃばら状に折り畳まれたスタックを作ることは、これに対応する、ロール形状の包帯から所望の長さの部分を切り出すという方法に比べ、簡単にでき、動作の時間も少なくて済む。さらに、フィルム包帯の最終端まで折り畳まれているため、曲率半径が小さくなるにつれ強くカールする傾向にある従来の細長い帯状フィルム包帯に比べ、スタックの取り扱いが複雑ではない。その上、所望の長さに分割した部分を作るために広げる必要のある折り畳まれた部分の数を判断することは、望みの長さを得るために必要なロールをほどく量を判断するより簡単であり、これは、本発明による包帯においては、多すぎるじゃばら状に折られた包帯の部分が拡げられてしまう可能性が比較的小さいということを意味する。包帯の同時に折られた部分のスタックは、便宜上長方形または正方形の箱に収納され、このことは、ロールを梱包する際、またはそれらのロールを上や横に積み重ねる際にデッドスペースが作られるロール形状の包帯とは異なり、デッドスペースを生むことなくこれら複数の箱を次々上や横に重ねることができるということを意味している。
【０００５】
好ましい実施形態においては、一連の分かれた開口部が硬化層に作られ、硬化層の隣接する開口部間の距離は、包帯の全長に沿って等しい大きさである。硬化層の各開口部は隣接するじゃばら状の包帯の折り目の間に広がる。
【０００６】
第二の実施形態において、じゃばら状に折られたスタックの各部それぞれに、硬化層は２つ以上の開口部を有する。包帯の連続する折り畳み部分にある隣接する開口部間の距離は、ひとつの折り畳み部分にある隣接する開口部間の距離より大きい。
【０００７】
すべての実施形態において、硬化層は複数の切れ目を備えることができ、これら切れ目は、硬化層の長手方向の端辺からこの層の開口部の端辺まで延在し硬化層は、包帯の長さに沿った複数の場所で、下層のプラスチックフィルムを越えて横方向に延在して一連の握り手を形成して、硬化層の除去を容易化する。
【０００８】
添付図を参照し、本発明を詳細に述べる。
【図面の簡単な説明】
【０００９】
【図１】好ましい実施形態１の細長い帯状フィルム包帯を上から見た平面図を示す。
【図２】図１の包帯が半分折り畳まれた状態の側面図を示す。
【図３】好ましい実施形態２の細長い帯状フィルム包帯を上から見た平面図を示す。
【発明を実施するための形態】
【００１０】
本発明による細長い帯状フィルム包帯の好ましい実施形態１を、図１および２に上からの平面図及び側面図として図示する。フィルム包帯は、通常プラスチックフィルム１で作られ、プラスチックフィルム１は下側を肌に優しい粘着剤層２で被覆され、粘着剤はＰＳＡ（感圧接着剤）が好ましく、通常はポリアクリル酸塩だがＳＢＲ、シリコーンのような他の粘着剤も使用できる。プラスチックフィルムは厚さが０．０１５ｍｍ〜０．０４０ｍｍのポリウレタンフィルムから成ることが好ましいが、ポリエステル系フィルムのような他の通気性のあるフィルムも使用できる。
【００１１】
使用前に粘着剤層を保護するために、保護層３、いわゆる剥離層、が粘着剤層上に張りつけられる。この層は使用前にはがされるものであるため、粘着剤層の性質を損なうことないよう、保護層３は粘着剤に対して弱い粘着力しか有してはならない。従って保護層の材料は、粘着剤の性質に依存する。粘着剤が、シリコーン粘着剤で構成されている場合、保護層は厚さが０．０５ｍｍ〜０．２０ｍｍのポリエチレンフィルムで構成できる。たとえばアクリル酸塩粘着剤のような他のタイプの粘着剤では、保護層はいわゆる従来構造の剥離紙から構成することができる。
【００１２】
フィルム包帯の利用を容易化するために、硬化層４はプラスチックフィルム１の上側、つまり粘着剤層２のない側に剥離可能に固定されている。硬化層は、包帯が貼り付けられた後に包帯から直接取り除かれるので、プラスチックフィルム１にあまり強固に固定してはならない。たとえばポリエチレンフィルム、紙またはラミネート紙、およびポリエチレンなどのフィルム包帯の硬化層として使用されるすべての材料は、本発明による包帯に使用できる。
【００１３】
本発明による細長いフィルム包帯は縦に一連の開口部５を有し、これら開口部は長手方向に等間隔にある。プラスチックフィルム１及び粘着剤層３は、透明が好ましく、これにより硬化層が透明な材料で作られていなくとも、下の傷や肌が開口部から見ることができる。
【００１４】
図１に、細長いフィルム包帯を生産中に即した形状で示す。図２に、半分折り畳まれた状態の包帯の側面図を示す。この図に示すように、包帯はじゃばら状に折り畳まれ、順番に横たわる６から１５の折り畳み部分のスタックは、折り畳まれた後にできあがる。図に示すタイプの包帯は、ユーザー自身が必要な細長いフィルム包帯の長さを決定し、細長いフィルム包帯から所望の長さを切り取るというように使用されることを意図されている。目的の使用部分に必要な、折り畳まれた部分の数の判断を容易にするために、部分の大きさを等しくすることが望ましい。図１において、折線は線Ｆで示され、硬化層の各開口部５から等しい距離に配置されている。折線Ｆ間の距離は、便宜上５ｃｍ〜１５ｃｍであり、一連の開口部５間の距離は、５ｍｍ〜４０ｍｍであり、好ましくは２０ｍｍである。
【００１５】
折り畳まれたフィルム包帯は、ふたつきの箱に収納するよう設計され、使用時には所望の数の部分がパッケージから外へ持ち上がるよう包帯の上端を持ち上げ、その後意図した場所で包帯を切ることができる。パッケージからフィルム包帯の所望の長さを引き出す別の方法は、包帯の上端を持つ代わりに、折り畳まれたスタックより少し下にある折り目に指を差し込み、それより上にあるスタックの部分をパッケージから持ち上げ、それにより折り畳まれたままの状態にある包帯の切り取りを所望の長さで行うことである。折り目の数を計算することにより、取り出すべきスタックの折り畳まれた部分の長さ及びどの折り目に指を差し込むかということを決定することが容易になる。後者の方法は、切り取る長さが大きいときに特に都合がよい。
【００１６】
フィルム包帯が、図２に示す半分折り畳まれた状態からすべて折り畳まれた状態に圧縮される場合、折り目が硬化層と保護層とに形成され、これにより、切り取るべき長さの包帯を引き出す際に、過度に長い包帯がたまたま引き出され、または持ち出された場合に、フィルム包帯の折り畳まれていない部分をパッケージの中に残っているスタックに戻すことが容易になる。
【００１７】
包帯が肌に固定される前に、保護層３を簡単にはがすために、保護層３の一方が粘着剤被覆フィルム１を越えて延び、図１に示すような掴み代を形成している。また、包帯の切り取られた部分を貼った後に硬化層を容易にはがすために、硬化層を粘着剤被覆フィルムの長手方向の端を越えて延ばすことも可能である。もちろんこのような掴み代は粘着剤被覆フィルムの長手方向の両端に沿って配置することができる。保護層または硬化層全体を、粘着剤被覆フィルムを越えて横に延ばす代わりに、一連の掴み代をフィルム包帯の長手方向の片方または両端に配置することができる。
【００１８】
図３には、細長い帯状フィルム包帯の実施形態２が示され、この実施形態２は、実施形態１のように１つの開口部５が折り畳まれた部分それぞれにある代わりに、実施形態２による包帯が、折り畳まれた各部分に２つの開口部５’を有するということによってのみ図１および２の包帯と異なっている。図３による実施形態２のこれらの要素は、図１および２による包帯の要素に対応しており、ダッシュ記号のついた同じ参照符号が付与されている。従って図３の包帯は、一連の開口部５’のペアを備え、開口部５’の各ペア同士は等間隔に並んでいる。開口部のペア間の距離は、各ペアの開口部間の距離より大きい。
【００１９】
硬化層を容易にはがすために、硬化層は包帯の長さに沿った複数の場所で切ることができる。一連の切り目は、硬化層の縦方向の片側または両側のエッジから開口部５、５’に向かって、また開口部の端辺まで延在することができる。さらに、貼る作業中に硬化層の部分を連続してはがすことができるよう、一連の切り目は隣接する開口部の間に横方向に延在できる。しかし、硬化層がプラスチックフィルムから誤って離れる危険があるので、このような横方向の切り目は、じゃばら状に折られた包帯の折り目に延在させるべきではない。
【００２０】
もちろん記述した実施形態は、本発明の範囲内で変更可能である。たとえば、２つ以上の開口部を折り畳まれた各部分に作ることが可能であり、開口部ペアの開口部５’は長軸の向きを、図３に示す横方向ではなく長手方向に向けることができ、開口部は図に示す形と異なる形、たとえば長方形、正方形、円形などにできる。したがって本発明は添付の特許請求範囲の記載によってのみ制限される。
【符号の説明】
【００２１】
１  プラスチックフィルム
２  粘着剤層
３  保護層
４  硬化層
５  開口部
【図１】
2010517669.tif 000003
【図２】
2010517669.tif 000004
【図３】
2010517669.tif 000005
【国際調査報告】
2010517669.tif 000006
2010517669.tif 000007
2010517669.tif 000008